(57)【要約】      （修正有）【課題】横断面十字型の消しゴム等の棒状物を確実に保持し、かつ容易に繰り出すことができる棒状物繰り出し具を提供する。【解決手段】外筒１１の長さ方向に沿って移動可能に形成された内筒１２と、上記内筒の先端部１３に設けられ、上記内筒の内方において長さ方向に沿って棒状物１４を保持しうるように形成されたチャック部１５とを有する棒状物繰り出し具１０であって、上記外筒と内筒間には、内筒を、外筒１１の後端部１８側に付勢しうる付勢手段１９が設けられ、上記チャック部は、内筒の先端部から突出して形成された４つのチャック片により形成され、上記各チャック片は、内筒の横断面の内方に向かって突出して形成された把持部が設けられている。【選択図】図１
0003118196.tif 000002
【実用新案登録請求の範囲】
【請求項１】
外筒と、上記外筒内において上記外筒の長さ方向に沿って移動可能に形成された内筒と、
上記内筒の先端部に設けられ、上記内筒の内方において長さ方向に沿って棒状物を保持しうるように形成されたチャック部とを有する棒状物繰り出し具であって、
上記外筒と内筒間には、上記内筒を、上記外筒の後端部側に付勢しうる付勢手段が設けられ、
上記チャック部は、上記内筒の先端部から突出して形成された４つのチャック片により形成され、
上記各チャック片は、上記内筒の横断面の内方に向かって突出して形成された把持部が設けられていることを特徴とする棒状物繰り出し具。
【請求項２】
上記各チャック片間には、上記内筒の長さ方向に沿って形成された、スリットが設けられ、上記スリット内に棒状物が配置されるように形成されていることを特徴とする上記請求項１記載の棒状物繰り出し具。
【請求項３】
上記各チャック片は、上記内筒の先端部に一体に成形されて突出して形成され、
先端部には、常時内筒の径方向外方へ拡開するように付勢されると共に、上記棒状物を内筒内に固定する場合には、内筒内部に係合して内筒内方へ収縮することにより、上記棒状物を把持し、上記棒状物を内筒外方へ繰り出す場合には、内筒内部との係合が解除されることにより、内筒の径方向外方へ拡開して棒状物を解放するように形成され、上記把持部は内筒の内方に向かって凸状に形成されていることを特徴とする請求項１、または請求項２記載の棒状物繰り出し具。
【請求項４】
上記内筒の外側面には、上記内筒の径方向外方に突出して形成された内筒係止部が形成され、
上記外筒の内側面には、上記外筒の横断面内方に突出して形成された外筒係止部が形成され、
上記内筒と外筒間には、上記内筒に装着されるとともに、上記内筒の長さ方向に沿って移動可能に形成され、上記内筒係止部と上記外筒係止部との間において、上記内筒を上記外筒の後端部側に付勢しうるように形成された弾性体が設けられるとともに、
上記チャック部に装着され、上記内筒の長さ方向に沿って移動可能に形成されたチャックリングが設けられ、
上記チャックリングは、上記棒状物を内筒内に固定する場合には、上記各チャック片間に形成された各スリットを収縮することにより、上記各チャック片間、及び各スリット間において上記各把持部により上記棒状物を把持しうるように形成されるとともに、
上記棒状物を内筒外方へ繰り出す場合には、上記チャック部の後端部側へ移動され、上記チャック片を内筒の径方向外方へ拡開して棒状物を解放するように形成されていることを特徴とする請求項３記載の棒状物繰り出し具。
【請求項５】
上記棒状物は、横断面形状十字型であって、長さ方向に沿って４つの突条が形成されると共に、
上記把持部は、夫々上記４つの突条の間に配置されていることを特徴とする請求項１乃至請求項４記載の棒状物繰り出し具。
【請求項６】
上記棒状物は、消しゴムであることを特徴とする請求項１乃至請求項５記載の棒状物繰り出し具。
【考案の詳細な説明】
【技術分野】
【０００１】
本考案は、棒状物の繰り出し具に係り、特に横断面十字型の消しゴム等の棒状物を保持することができ、繰り出しの容易な棒状物繰り出し具に関する。
【背景技術】
【０００２】
従来、職場や家庭等で使用される棒状の消しゴムや、鉛筆芯又は口紅等の棒状物を繰り出し機構を有する容器として、棒状物繰り出し容器が使用されている（特許文献１）。
上記棒状物の繰り出しにあっては、外筒に対し内筒をバネに抗してノックすることにより、棒状消しゴムを保持したチャック及びチャックリングが前方へ移動してチャックリングが外筒の先具に当接し、チャックが開き、棒状消しゴムを突出させることができると共に、バネの力により内筒及びチャックを後方に移動させることにより、チャックリングが嵌入して閉じられ、棒状消しゴムを保持するように形成されている。
従って、上記棒状物繰り出し容器は、使用時においては横断面円状の棒状物を必要に応じて伸張させ、未使用時にあっては、上記棒状物を自由に縮めることができる。
【０００３】
また、細小部や細線を用いた精密製図の如きに対する消去、修正操作を円滑且つ適切に達成することができる、横断面形状が多角断面棒状消字材により形成された紙巻消字体が使用されている（特許文献２）。
【特許文献１】実登２５２７９５８号
【特許文献２】特開２００２−１１３９９１号
【考案の開示】
【考案が解決しようとする課題】
【０００４】
上記特許文献１にあっては、上記内筒の先端部に設けられているチャックの開閉操作により、上記棒状物の繰り出し及び保持を行うものであるが、上記棒状物の横断面形状は略円状に形成されているものを対象として形成されているため、上記チャックの横断面形状は、上記内筒の径方向内方に向かって凹状、若しくは平面状に形成され、上記チャック間において、上記棒状物を保持するように形成されている。
上記棒状物繰り出し容器により、横断面十字型の棒状物を把持した場合には、上記横断面十字型の棒状物を把持することができないという不具合がある。
【０００５】
また、特許文献１記載の上記棒状物の繰り出し容器に対し、消しゴムを適用した場合にあっては、横断面形状略円状の消しゴムしか繰り出すことができず、上記横断面形状略円状の消しゴムを用いて紙等に記載されている字の消字を行うと、上記消しゴム先端部が次第に削られるため、紙等への当接面積が増加し、文字や図面の細部の消去を行うことができなくなるという不具合がある。
【０００６】
上記特許文献２にかかる紙巻消字体にあっては、上記多角形の棒状消字体により、図面や文字の細部を容易に消去することができるが、上記文字等の消去により消字芯体部分が次第に消耗するため、紙巻層を剥離させることにより、上記消字体を露出させることができるが、上記紙巻層をその都度剥離させることは煩雑であると共に、上記消字芯体の長さには限度があるため、上記消字体の消耗により、上記紙巻消字体を廃棄しなければならないことから、複数本の紙巻消字体を準備しておかなければならず、コストがかさむ、という不具合がある。
【０００７】
そこで本考案が解決しようとする課題は、横断面十字型の消しゴム等の棒状物を確実に保持し、かつ容易に繰り出すことができる棒状物繰り出し具を提供することにある。
【課題を解決するための手段】
【０００８】
上記課題を解決するために、請求項１記載の考案は、外筒と、上記外筒内において上記外筒の長さ方向に沿って移動可能に形成された内筒と、上記内筒の先端部に設けられ、上記内筒の内方において長さ方向に沿って棒状物を保持しうるように形成されたチャック部とを有する棒状物繰り出し具であって、上記外筒と内筒間には、上記内筒を、上記外筒の後端部側に付勢しうる付勢手段が設けられ、上記チャック部は、上記内筒の先端部から突出して形成された４つのチャック片により形成され、上記各チャック片は、上記内筒の横断面の内方に向かって突出して形成された把持部が設けられていることを特徴とする。
【０００９】
請求項２記載の考案は、上記各チャック片間には、上記内筒の長さ方向に沿って形成された、スリットが設けられ、上記スリット内に棒状物が配置されるように形成されていることを特徴とする。
【００１０】
請求項３記載の考案は、上記各チャック片は、上記内筒の先端部に一体に成形されて突出して形成され、先端部には、常時内筒の径方向外方へ拡開するように付勢されると共に、上記棒状物を内筒内に固定する場合には、内筒内部に係合して内筒内方へ収縮することにより、上記棒状物を把持し、上記棒状物を内筒外方へ繰り出す場合には、内筒内部との係合が解除されることにより、内筒の径方向外方へ拡開して棒状物を解放するように形成され、上記把持部は内筒の内方に向かって凸状に形成されていることを特徴とする。
【００１１】
請求項４記載の考案は、上記内筒の外側面には、上記内筒の径方向外方に突出して形成された内筒係止部が形成され、上記外筒の内側面には、上記外筒の横断面内方に突出して形成された外筒係止部が形成され、上記内筒と外筒間には、上記内筒に装着されるとともに、上記内筒の長さ方向に沿って移動可能に形成され、上記内筒係止部と上記外筒係止部との間において、上記内筒を上記外筒の後端部側に付勢しうるように形成された弾性体が設けられるとともに、上記チャック部に装着され、上記内筒の長さ方向に沿って移動可能に形成されたチャックリングが設けられ、上記チャックリングは、上記棒状物を内筒内に固定する場合には、上記各チャック片間に形成された各スリットを収縮することにより、上記各チャック片間、及び各スリット間において上記各把持部により上記棒状物を把持しうるように形成されるとともに、上記棒状物を内筒外方へ繰り出す場合には、上記チャック部の後端部側へ移動され、上記チャック片を内筒の径方向外方へ拡開して棒状物を解放するように形成されていることを特徴とする。
【００１２】
請求項５記載の考案は、上記棒状物は、横断面形状十字型であって、長さ方向に沿って４つの突条が形成されると共に、上記把持部は、夫々上記４つの突条の間に配置されていることを特徴とする。
【００１３】
請求項６記載の考案は、上記棒状物は、消しゴムであることを特徴とする。
【考案の効果】
【００１４】
請求項１記載の棒状物繰り出し具にあっては、上記各チャック片に設けられている各把持部により、横断面が円形状ではない、例えば横断面十字型や、星型などの、横断面形状が内方に向かってＶ字状に形成された棒状物を確実に保持することができる。
従って、上記横断面形状が円形ではない棒状物の繰り出し操作が容易、かつ、確実な棒状物繰り出し具を提供することができる。
【００１５】
請求項２記載の棒状物繰り出し具にあっては、上記棒状物は、上記スリット内に配置されて保持されることから、上記棒状物を上記各スリット間及び、上記チャック片に設けられた把持部間により保持することができる。
従って、上記棒状物の繰り出し操作が容易かつ、確実な棒状物繰り出し具を提供することができる。
【００１６】
請求項３記載の棒状物繰り出し具にあっては、上記各チャック片に設けられている各把持部は、上記棒状物を内筒内に固定する場合には、内筒内部に係合して内筒内方へ収縮されることから、上記棒状物を確実に保持することができる。
【００１７】
また、上記棒状物を内筒外方へ繰り出す場合には、上記各チャック片に設けられている各把持部は、内筒内部との係合が解除され、内筒の径方向外方へ拡開して棒状物を解放するように形成されていることから、上記棒状物を容易に内筒の外方へ繰り出すことができる。
【００１８】
請求項４記載の棒状物繰り出し具にあっては、上記棒状物を内筒内に固定する場合には、上記チャックリングにより、上記各チャック片間に形成された各スリットが閉塞され、上記各チャック片間、及び各スリット間において上記各把持部により上記棒状物が把持されることから、上記棒状物を確実に保持することができる棒状物繰り出し具を提供することができる。
【００１９】
また、上記棒状物を内筒外方へ繰り出す場合には、上記チャックリングにより、上記チャック片が内筒の径方向外方へ拡開して棒状物が解放されることから、上記棒状物を容易に繰り出すことができる棒状物繰り出し具を提供することができる。
【００２０】
請求項５記載の棒状物繰り出し具にあっては、上記棒状物を内筒内に固定する場合には、上記各把持部により、上記横断面形状十字型の各突条を把持することができることから、上記棒状物を確実に保持することができる棒状物繰り出し具を提供することができる。
【００２１】
請求項６記載の棒状物繰り出し具にあっては、上記棒状物は消しゴムであることから、上記消しゴムの横断面形状を形成する突条により、紙等に記載されている文字や図形等の細部を容易に消去することができる。
また、上記消しゴムが文字等の消字により磨耗した場合であっても、容易に繰り出して使用することができることから、連続して文字や図形等の細部を消去することができる棒状繰り出し具を提供することができる。
【考案を実施するための最良の形態】
【００２２】
以下、添付図面に示す実施の形態に基づき、本考案にかかる棒状物繰り出し具を説明する。
【００２３】
本実施の形態に係る棒状物繰り出し具１０は、図１に示すように、外筒１１と、上記外筒１１内において上記外筒１１の長さ方向に沿って移動可能に形成された内筒１２と、上記内筒１２の先端部１３に設けられ、上記内筒１２の内方において長さ方向に沿って棒状物１４を保持しうるように形成されたチャック部１５とを有する棒状物繰り出し具１０であって、上記外筒１１と内筒１２間には、上記内筒１２を、上記外筒１１の後端部１８側に付勢しうる付勢手段１９が設けられ、上記チャック部１５は、上記内筒１２の先端部１３から突出して形成された４つのチャック片１６ａ，１６ｂ，１６ｃ，１６ｄにより形成され、上記各チャック片１６ａ，１６ｂ，１６ｃ，１６ｄは、上記内筒１２の横断面の内方に向かって突出して形成された把持部２０ａ，２０ｂ，２０ｃ，２０ｄが設けられている。
【００２４】
また、上記各チャック片１６ａ，１６ｂ，１６ｃ，１６ｄ間には、上記内筒１２の長さ方向に沿って形成された、スリット２１ａ，２１ｂ，２１ｃ，２１ｄが設けられ、上記スリット２１ａ，２１ｂ，２１ｃ，２１ｄ内に棒状物１４が配置されるように形成されている。
【００２５】
また、上記各チャック片１６ａ，１６ｂ，１６ｃ，１６ｄは、上記内筒１２の先端部１３に一体に成形されて突出して形成され、先端部には、常時内筒１２の径方向外方へ拡開するように付勢されると共に、上記棒状物１４を内筒１２内に固定する場合には、内筒１２内部に係合して内筒１２内方へ収縮することにより、上記棒状物１４を把持し、上記棒状物１４を内筒１２外方へ繰り出す場合には、内筒１２内部との係合が解除されることにより、内筒１２の径方向外方へ拡開して棒状物１４を解放するように形成され、上記把持部２０ａ，２０ｂ，２０ｃ，２０ｄは内筒１２の内方に向かって凸状に形成されている。
【００２６】
また、上記内筒１２の外側面には、上記内筒１２の径方向外方に突出して形成された内筒係止部が形成され、上記外筒１１の内側面には、上記外筒１１の横断面内方に突出して形成された外筒係止部２３が形成され、上記内筒１２と外筒１１間には、上記内筒１２に装着されるとともに、上記内筒の長さ方向に沿って移動可能に形成され、上記内筒係止部２２と上記外筒係止部２３との間において、上記内筒１２を上記外筒１１の後端部側に付勢しうるように形成された弾性体２４が設けられるとともに、上記チャック部１５に装着され、上記内筒１２の長さ方向に沿って移動可能に形成されたチャックリング２５が設けられ、上記チャックリング２５は、上記棒状物１４を内筒１２内に固定する場合には、上記各チャック片１６ａ，１６ｂ，１６ｃ，１６ｄ間に形成された各スリットを収縮することにより、上記各チャック片間、及び各スリット２１ａ，２１ｂ，２１ｃ，２１ｄ間において上記各把持部２０ａ，２０ｂ，２０ｃ，２０ｄにより上記棒状物１４を把持しうるように形成されるとともに、上記棒状物１４を内筒１２外方へ繰り出す場合には、上記チャック部１５の後端部側へ移動され、上記チャック片１６ａ，１６ｂ，１６ｃ，１６ｄを内筒１２の径方向外方へ拡開して棒状物１４を解放するように形成されている。
【００２７】
また、上記棒状物１４は、横断面形状十字型であって、長さ方向に沿って４つの突条４１ａ，４１ｂ，４１ｃ，４１ｄが形成されると共に、上記把持部２０ａ，２０ｂ，２０ｃ，２０ｄは、夫々上記４つの突条４１ａ，４１ｂ，４１ｃ，４１ｄの間に配置されている。また、上記棒状物１４は、消しゴムにより形成されている。 
【実施例】
【００２８】
図１、図２は本実施例にかかる棒状物繰り出し具１０を示したものである。
【００２９】
図１に示すように、本実施例にかかる棒状物繰り出し具１０は、棒状物１４を構成する細長状の消しゴム１４を保持し、図２に示すように、使用時にあっては必要に応じて上記外筒１１の後端部１８に設けられたノック部２９を指などで押圧することにより、上記消しゴム１４を上記外筒１１から繰り出して使用することができると共に、上記棒状物繰り出し具１０を消しゴム１４とともに搬送する場合や保管する場合にあっては、上記棒状物を上記棒状物繰り出し具１０を構成する外筒１１内に収納して使用される。  
【００３０】
図３に示すように、上記消しゴム１４は、横断面形状が十字型に形成され、上記消しゴム１４の径方向へ突出して形成され、所定の厚さ寸法Ｗ１を有する突条４１ａ，４１ｂ，４１ｃ，４１ｄにより形成されている。
上記突条４１ａ，４１ｂ，４１ｃ，４１ｄの外方には、夫々２つの角部が形成され、上記突条４１ａの外方には角部４０ａ，４０ｂが形成され、上記突条４１ｂの外方には角部４０ｃ，４０ｄが形成され、上記突条４１ｃの外方には角部４０ｅ，４０ｆが形成され、上記突条４１ｄの外方には角部４０ｇ，４０ｈが夫々形成されている。
【００３１】
図３に示すように、上記突条４１ａ，４１ｂ，４１ｃ，４１間には、上記消しゴム１４の長さ方向に沿って４つの溝部２６ａ，２６ｂ，２６ｃ，２６ｄが形成され、上記突条４１ａと４１ｂとの間には、溝部２６ｂが形成され、上記突条４１ａと４１ｂとの間には、溝部２６ｃが形成され、上記突条４１ａと４１ｂとの間には、溝部２６ｄが形成され、上記突条４１ａと４１ｂとの間には、溝部２６ａが夫々形成されている。
従って、上記棒状物１４として、横断面十字型の消しゴムを使用した場合には、上記８つの角部４０ａ，４０ｂ，４０ｃ，４０ｄ，４０ｅ，４０ｆ，４０ｇ，４０ｈにより、紙等に記載した文字や図面等の細部を消去することができる消しゴムとして使用することができる。
【００３２】
図１に示すように、上記棒状物繰り出し具１０は、全体形状長筒状に形成され、細長円筒状の外筒１１と、上記外筒１１内において上記外筒１１の長さ方向に沿って移動可能に形成された内筒１２と、上記内筒１２の先端部１３に設けられ、上記内筒１２の内方において長さ方向に沿って上記消しゴム１４を保持しうるように形成されたチャック部１５とにより形成されている。
【００３３】
図６に示すように、上記外筒１１は、細長円筒形状に形成され、円筒状の外筒後部３９と、上記外筒後部３９と一体に成形され、上記外筒後部３９の先端に延設して形成されている円筒状の外筒前部３８とにより形成されている。
上記外筒前部３８の径寸法は、上記外筒後部３９の径寸法よりも小さい径寸法に形成され、上記外筒前部３８の外側縁部には、上記外筒前部３８の外側縁部に沿って形成された略断面楕円形状のグリップ係止部３６ａ，３６ｂが径方向外方に向かって突出して２つ形成されている。
【００３４】
図６に示すように、上記外筒前部３８には、上記外筒前部３８の側縁部を被覆するように略円筒状に形成され、上記外筒前部３８と一体となって、上記棒状物繰り出し具１０を手指で把持しうるように形成されているグリップ部２７が設けられている。
上記グリップ部２７は、エラストマー等により形成され、上記グリップ部２７を手で把持した場合であっても、滑りにくい素材により形成されている。
上記グリップ部２７には、上記外筒前部３８に設けられているグリップ係止部３６ａ，３６ｂと係合され、上記グリップ部２７を上記外筒前部３８に装着しうるように形成されている略楕円形状の係合孔部３７ａ，３７ｂが設けられている。
【００３５】
したがって、上記棒状具繰り出し具１０の組立時においては、上記グリップ部２７は、上記外筒前部３８を被覆するようにして、上記外筒前部３８の側縁部に配置され、上記外筒前部３８に設けられているグリップ係止部３６ａ，３６ｂが上記グリップ部２７に設けられている係合孔部３７ａ，３７ｂと嵌りあうことにより、上記グリップ部２７を上記外筒１１に係止することができる。
【００３６】
図６に示すように、上記グリップ部２７は、長さ方向略中央部がくびれた形状を有している。従って、上記棒状具繰り出し具１０を使用する際に、上記グリップ部２７を手指で把持する際には、上記グリップ部２７の長さ方向略中央部を把持することにより、手になじみ、かつ、上記グリップ部２７はエラストマー等、滑りにくい素材により形成されていることから、上記グリップ部２７を把持して上記棒状具繰り出し具１０を把持した場合には、疲れにくく長時間使用することができる消しゴム等の棒状具繰り出し具として使用することができる。
【００３７】
また、上記グリップ部２７を上記外筒前部３８に装着することにより、上記グリップ部２７により被覆された外筒前部３８の径寸法と、上記外筒孔部３９の径寸法とは、略同じ径寸法に形成され、上記外筒の外径は、略円筒状に形成されることから、外観形状が簡素ですっきりとした形状に形成される。
また、上記グリップ部２７に設けられている係合孔部３７ａ，３７ｂから上記グリップ部２７に設けられているグリップ係止部３６ａ，３６ｂが突出して形成されていることから、上記グリップ部２７の外観模様が、上記グリップ部２７と、上記グリップ係止部３６ａ，３６ｂとにより形成されるため、上記グリップ部２７に美観が与えられる。
【００３８】
図１に示すように、上記外筒１１の内側面には、上記外筒１１の径方向内方に突出して形成された外筒係止部２３が形成されている。上記外筒係止部２３は、上記外筒１１の内方において、上記外筒１１の内側全周に沿って内径寸法Ｗ７となるように形成されている。
【００３９】
図１に示すように、上記外筒１１の先端部側には、上記消しゴム１４を支持しうるように形成された先端キャップ部２８が設けられている。
上記先端キャップ部２８は、先端に従って小径となるようにテーパー状に形成された短円筒状に形成され、上記先端キャップ部２８の先端部には、上記消しゴム１４の外側と当接して、上記消しゴム１４を支持しうるように形成された先端案内部３３が径方向内方に向かって突出して形成されている。
【００４０】
図１に示すように、上記先端案内部３３間の径寸法Ｗ３は、横断面形状が、上記消しゴム１４の径寸法Ｗ４と略同じに形成され、上記消しゴム１４の先端部が上記棒状物繰り出し具１０の先端部から突出させた場合において、上記消しゴム１４が揺れ動かないように形成されているが、上記消しゴム１４は上記先端案内部３３間において、上記先端案内部３３と当接しながら上記内筒１２の長さ方向に対し移動しうるように、上記先端案内部３３間の径寸法Ｗ３は上記消しゴム１４の径寸法Ｗ４よりも若干小さい径寸法に形成されている。
【００４１】
図１、図６に示すように、上記先端キャップ部２８の後端部側には、上記外筒１１と係合しうるように形成された先端キャップ螺子部３４が突出して形成されている。
上記先端キャップ螺子部３４は、上記先端キャップ部２８の後端側において、上記先端キャップ部２８の径方向外方に向かって螺子溝が形成されている。
また、上記外筒１１を形成している外筒前部３８の先端部には、上記先端キャップ螺子部３４と螺合されることにより、上記先端キャップ部２８を上記外筒前部２８に係合しうるように形成された外筒先端螺子部３５が設けられている。
【００４２】
上記外筒先端螺子部３５は、上記外筒前部３８の先端において、上記外筒前部３８の径方向内方において、螺子溝が形成され、上記先端キャップ部２８に設けられている先端キャップ螺子部３４を、上記外筒前部３８に設けられている外筒先端螺子部３５に螺合させることにより、上記先端キャップ部２８を、上記外筒前部３８に係合させることができる。
したがって、上記外筒１１の先端部内部において、上記消しゴム１４が破損等が生じることにより、上記消しゴム１４の破片や、ゴミ等の異物が内部に詰まった場合は、上記先端キャップ螺子部３４と、上記外筒先端螺子部３５との螺合を解除することにより、上記外筒１１の先端部から、上記先端キャップ部２８を取り外し、上記外筒１１内から、上記異物を取出して、排除することができる。
【００４３】
図５に示すように、上記内筒１２は、細長円筒状に形成され、内方において上記消しゴム１４を長さ方向に沿って移動しうるように保持することができるように形成され、上記内筒１２の先端部には、上記内筒１２と一体に形成され、上記先端部側に突出して形成されたチャック部１５が設けられている。
上記内筒１２は、上記外筒１１内において長さ方向に沿って移動しうるように形成され、上記内筒１２の外径寸法は、上記外筒１１の内径寸法よりも小さくなるように形成されている。
【００４４】
図５に示すように、上記内筒１２は、円筒状の内筒後部４５と、上記内筒後部４５と一体に成形され、上記内筒後部４５の先端に延設して形成されている円筒状の内筒前部４４とにより形成されている。
上記内筒後部４５の外径寸法Ｗ６は、上記内筒前部４４の外径寸法Ｗ５よりも大きい径寸法に形成されているため、上記内筒後部４５の外側面は、上記内筒前部４４の外側面よりも、径方向外方に突出して形成されている。
従って、上記内筒１２には、上記内筒前部４４と上記内筒後部４５との境界部において、上記内筒１２の径方向外方に突出して形成された段状の内筒係止部２２が形成されている。
【００４５】
図１に示すように、上記内筒１２と外筒１１間には、上記内筒１２の外方に装着され、上記内筒１２を上記外筒１１の後端部側へ付勢しうるように形成された弾性体２４が設けられている。
図４に示すように、上記弾性体２４は、略円筒状のつるまきばね等により形成され、上記弾性体２４の内径寸法Ｗ９は、図５に示すように、上記内筒前部４４の外径寸法Ｗ５よりも大きい径寸法に形成されているため、上記内筒前部４４を径方向外方に装着された状態で、上記内筒前部４４の長さ方向移動可能に形成されている。
【００４６】
また、図４に示すように、上記弾性体２４の内径寸法Ｗ９は、図５に示すように、上記内筒後部４５の外径寸法Ｗ６と同一寸法により形成されていることから、上記弾性体２４は、上記内筒前部４４と、上記内筒後部４５との境界部に形成されている内筒係止部２２より、長さ方向一端部が係止された状態で上記内筒前部４４に固定されている。
【００４７】
また、図４に示すように、上記弾性体２４の外径寸法Ｗ８は、図１に示すように、上記外筒１１における外筒係止部２３における内径寸法Ｗ７よりも大きい径寸法に形成されていることから、図１に示すように、上記弾性体２４を上記内筒前部４４の径方向外方に装着した状態で、上記内筒１２を上記外筒１１内に装着した場合には、上述のように、上記弾性体２４は、長さ方向一端部が上記内筒１２に設けられている内筒係止部２２に係止されると共に、上記弾性体２４の長さ方向他端部は、上記外筒係止部２３に当接し得るように形成されている。
従って、上記内筒１２は上記弾性体２４により、上記内筒係止部２２を介して上記内筒１２の後端部側へ付勢されるように形成されている。
【００４８】
図１に示すように、上記外筒１１の内径寸法Ｗ１８は、図４に示すように、上記弾性体２４の外径寸法Ｗ８よりも若干大きい形状に形成されていることから、図１に示すように、上記弾性体２４を上記外筒１１の内方に挿入して配置することができる。
【００４９】
図３、図５に示すように、上記チャック部１５は、上記内筒１２の先端部から突出して形成された４つのチャック片１６ａ，１６ｂ，１６ｃ，１６ｄにより形成されている。
上記チャック片１６ａ，１６ｂ，１６ｃ，１６ｄの先端部には、上記内筒１２の径方向内方に向かって突出して形成された把持部２０ａ，２０ｂ，２０ｃ，２０ｄが設けられ、上記チャック片１６ａ，１６ｂ，１６ｃ，１６ｄは、弾性を有する素材により形成され、常時内筒１２の径方向外方へ拡開するように付勢されるように形成されている。
【００５０】
図５に示すように、上記チャック部１５の先端部には、上記チャック片の厚さ寸法よりも肉厚に形成されているチャック先端部４６が形成され、上記チャック先端部４６における外径寸法Ｗ１０は、上記チャック部１５の外径寸法Ｗ１１よりも大きい径寸法に形成され、径方向外方へ拡開するように形成されている。
【００５１】
図３に示すように、上記把持部２０ａ，２０ｂ，２０ｃ，２０ｄは、横断面形状が、上記内筒１２の径方向内方に向かって、夫々略直角に突出して形成され、図５に示すように、上記把持部２０ａ，２０ｂ，２０ｃ，２０ｄは上記チャック部１５の長さ方向略半分の位置まで延設されて形成されている。
【００５２】
図３に示すように、上記各チャック片１６ａ，１６ｂ，１６ｃ，１６ｄ間には、上記内筒１２の長さ方向に沿って形成された、スリット２１ａ，２１ｂ，２１ｃ，２１ｄが設けられている。
上記スリット２１ａは、上記チャック片１６ａと１６ｂとの間に設けられ、上記スリット２１ｂは、上記チャック片１６ｂと１６ｃとの間に設けられ、上記スリット２１ｃは、上記チャック片１６ｃと１６ｄとの間に設けられ、上記スリット２１ｄは、上記チャック片１６ｄと１６ａとの間に夫々設けられている。
【００５３】
図３に示すように、上記スリット２１ｃの幅寸法Ｗ１は、上記消しゴム１４を構成する突条４１ｃの厚さ寸法Ｗ１と同寸法に形成され、同様に上記スリット２１ａの幅寸法は、突条４１ａの厚さ寸法と同寸法に形成され、上記スリット２１ｂの幅寸法は、突条４１ｂの厚さ寸法と同寸法に形成され、上記スリット２１ｄの幅寸法は、突条４１ｄの厚さ寸法と同寸法に形成されている。
【００５４】
従って、図３に示すように、上記消しゴム１４は、上記チャック部１５内に配置されると共に、上記各スリット２１ａ，２１ｂ，２１ｃ，２１ｄ内において、上記各突条４１ａ，４１ｂ，４１ｃ，４１ｄが配置され、上記チャック部１５の長さ方向に沿って移動可能に形成されている。
【００５５】
図１、図３に示すように、上記チャック部１５には、径方向外側に設けられ、上記内筒１２の長さ方向に沿って移動可能に形成されている短円筒状のチャックリング２５が設けられている。
図３に示すように、上記チャックリング２５の内径寸法Ｗ１３は、図５に示すように、上記チャック部１５の外径寸法Ｗ１１よりも大きい径寸法に形成されていることから、図１に示すように、上記チャック部１５の径方向外方において、上記内筒１２の長さ方向に沿って、移動可能に形成されている。
また、上記チャックリング２５の内径寸法Ｗ１３は、図５に示すように、上記チャック先端部４６の外径寸法Ｗ１０よりも小さい径寸法に形成されている。
【００５６】
従って、図１に示すように、上記チャックリング２５が、上記チャック先端部４６の外側に位置している場合には、上記チャックリング２５の内側縁と、上記チャック先端部４６とが当接され、上記各チャック片１６ａ，１６ｂ，１６ｃ，１６ｄ間に形成されている上記スリット２１ａ，２１ｂ，２１ｃ，２１ｄが収縮され、上記各チャック片１６ａ，１６ｂ，１６ｃ，１６ｄの先端に設けられている把持部２０ａ，２０ｂ，２０ｃ，２０ｄが上記内筒１２の径方向内方へ移動する。
【００５７】
このことにより、図３に示すように、上記各把持部２０ａ，２０ｂ，２０ｃ，２０ｄの径方向内方に向かって略直角に形成されている当接突部４７ａ，４７ｂ，４７ｃ，４７ｄが上記消しゴム１４に形成されている各溝部２６ａ，２６ｂ，２６ｃ，２６ｄに当接されて、上記消しゴム１４を固定することができる。
また、上記各チャック片１６ａ，１６ｂ，１６ｃ，１６ｄ間に形成されている上記スリット２１ａ，２１ｂ，２１ｃ，２１ｄが収縮され、上記各スリット２１ａ，２１ｂ，２１ｃ，２１ｄ内に配置されている上記消しゴム１４を構成する突条４１ａ，４１ｂ，４１ｃ，４１ｄが上記各チャック片１６ａと１６ｂ、１６ｂと１６ｃ、１６ｃと１６ｄ、１６ｄと１６ａとにより、把持されて固定することができる。
従って、上記消しゴム１４を上記各当接突部４７ａ，４７ｂ，４７ｃ，４７ｄと、上記各スリット２１ａ，２１ｂ，２１ｃ，２１ｄ内において把持して固定することができることから、上記消しゴム１４の固定時においては、上記消しゴム１４を長さ方向に対し確実に固定することができる棒状物繰り出し具１０として使用することができる。
【００５８】
図４、図５に示すように、上記内筒１２の後端部には、径方向内方おいて短円筒状に形成されている後端消しゴム３１を保持しうるように形成された消しゴム受け部３２が設けられている。
図５に示すように、上記消しゴム受け部３２は、上記内筒１２の後端部の径方向内方に設けられ、上記消しゴム受け部３２の内径寸法Ｗ１４は、図６に示すように、上記消しゴム受け部３２の外径寸法Ｗ１５と略同寸法に形成されている。
従って、図１に示すように、上記後端消しゴム３１は、上記内筒１２の後端部に設けられた消しゴム受け部３２に対し着脱自在に設けられている。
【００５９】
図１に示すように、上記内筒１２の内径寸法Ｗ１６は、上記消しゴム１４の径寸法Ｗ４よりも大きい径寸法に形成されている。従って、上記消しゴム１４を、上記内筒１２の後端部から挿入して上記内筒１２の内方に挿通させることができる。
【００６０】
図１、図４に示すように、上記内筒１２の後端部には、上記内筒１２の後端部を閉止しうるように形成された後端キャップ部２９が係合されている。
上記後端キャップ部２９は短円筒状に形成されている係合筒部４８と、上記係合筒部４８の後端において一体に形成されて、略半球状に形成されているノック部４９とにより形成されている。
【００６１】
図４に示すように、上記係合筒部４８の側縁には、断面コ字状に形成された係合切欠５０が形成され、上記係合切欠５０は、上記係合筒部４８の径方向内方に向かって収縮するように形成されている。
図２に示すように、上記係合筒部４８の内径寸法Ｗ１７は、図５に示すように、内筒後部４５の外径寸法Ｗ６と略同寸法に形成されている。また、図４に示すように、上記係合筒部４８の外径寸法Ｗ１９は、図１に示すように、上記外筒１１の内径寸法Ｗ１８より小さい径寸法に形成されている。
従って、上記後端キャップ部２９を構成する係合筒部４８を上記内筒１２の後端部の外方へ係合させることにより、上記係合筒部４８に設けられている係合切欠５０が上記係合筒部４８の径方向内方に向かって収縮されて、上記係合切欠５０により、上記後端キャップ部２９が上記内筒１２の後端部に係止されている。
【００６２】
図１、図３に示すように、上記後端キャップ部２９には、上記棒状物繰り出し具１０を紙やポケットなどに固定しうるように形成されたクリップ部３０が設けられている。
上記クリップ部３０は、上記係合筒部４８の側方から突出して形成されるとともに、上記外筒１１と略平行方向に屈曲して形成され、上記クリップ部３０の先端には、上記外筒１１の外側面と当接することにより、上記クリップ部３０と上記外筒１１間との間において紙等を把持しうるように形成された半球状に形成されたクリップ係止突部４２が設けられている。
【００６３】
従って、上記クリップ係止突部４２と、上記外筒１１の外側面との間に紙やポケットの布などを把持させることにより、上記棒状物繰り出し具１０を保持させることができる。
【００６４】
以下、添付図面に示す実施例に基づき、本考案に係る棒状物繰り出し具１０の作用について詳細に説明する。
【００６５】
本考案に係る棒状物繰り出し具１０は、図１に示すように、横断面十字型に形成されている細長状の消しゴム等の棒状物１４を保持しうる消しゴムの保持具として使用することができ、上記消しゴム１４を上記内筒１２内に保持して用いられる。
【００６６】
使用時にあっては、図１に示すように、上記内筒１２の後端部の径方向外方に設けられている後端キャップ部２９を上記内筒１２の後端部方向へ引っ張ることにより、上記内筒１２から、後端キャップ２９を取り外す。
次に、上記内筒１２の後端部の径方向内方に設けられている消しゴム受け部３２から、後端消しゴム３１を上記内筒１２の後端部方向へ引張することにより、取り外し、上記内筒１２の後端部から、上記消しゴム１４を内筒１２内に挿入する。
【００６７】
図１に示すように、上記内筒１２内に消しゴム１４を挿入後は、上記後端消しゴム３１を上記内筒１２の後端部に設けられている消しゴム受け部３２内に挿入することにより、上記内筒１２の後端部を閉塞しうることから、上記内筒１２内に挿入した消しゴム１４を上記内筒１２の後端部から脱落させることがない。
また、この状態において、上記後端部に設けられている後端消しゴム３１により、紙等に記載されている文字等を消去することができる消しゴムとして使用することができる。
【００６８】
次に、上記後端キャップ部２９を上記内筒１２の後端部の径方向外方に嵌めることにより、上記後端消しゴム３１をゴミや汚れから保護しうる保護キャップとして機能しうるとともに、上記内筒１２を指などでノックして押圧することにより、上記内筒１２を先端部方向へ移動させるノック部４９として機能しうる。
【００６９】
図２に示すように、上記ノック部４９を指などで押圧し、上記後端キャップ部２９に係合されている内筒１２を上記内筒係止部２２と外筒係止部２３との間に配置されている弾性体２４の弾性力に抗して、上記内筒１２の先端部に設けられているチャック部１５を上記先端部方向へ移動させるとともに、上記チャック部１５の径方向外方に設けられているチャックリング２５も移動されるが、上記チャックリング２５は、上記先端キャップ部２８に設けられている先端キャップ螺子部３４に当接されるため、上記先端部方向への移動が阻止され、上記チャックリング２５の内方に設けられている上記チャック部１５だけが先端部方向へ移動される。
【００７０】
従って、図２、図３に示すように、上記チャック部１５の径方向外方に設けられているチャックリング２５が、上記チャック先端部４６の後方へ配置されていることから、上記チャック部１５を構成する各チャック片１６ａ，１６ｂ，１６ｃ，１６ｄは上記内筒１２の径方向外方へ拡開されるため、上記各チャック片１６ａ，１６ｂ，１６ｃ，１６ｄの先端部内方に突出して形成されている把持部２０ａ，２０ｂ，２０ｃ，２０ｄも上記内筒１２の径方向外方へ拡開される。
【００７１】
従って、図２、図３に示すように、上記チャック片１６ａ，１６ｂ，１６ｃ，１６ｄ間に形成されている各スリット２１ａ，２１ｂ，２１ｃ，２１ｄが拡開されて、上記スリット内において保持されている各突条４１ａ，４１ｂ，４１ｃ，４１ｄの係合状態が解除されるとともに、上記把持部２０ａ，２０ｂ，２０ｃ，２０ｄの先端に設けられている当接突部４７ａ，４７ｂ，４７ｃ，４７ｄが径方向外方へ拡開されることから、上記消しゴム１４に形成されている各溝部２６ａ，２６ｂ，２６ｃ，２６ｄと、上記当接突部４７ａ，４７ｂ，４７ｃ，４７ｄとの係合状態も解除される。
【００７２】
このことにより、上記消しゴム１４は、上記内筒１２の長さ方向に対し移動可能になるため、上記内筒の先端部を下方へ、後端部を上方へ配置した場合にあっては、上記消しゴム１４は重力により上記内筒１２の先端部から突出されるため、必要に応じて上記内筒１２の先端から突出させることができる。
【００７３】
次に、図１に示すように、上記内筒１２の後端部に設けられているノック部４９から、手指をはずした場合には、上記内筒１２は、上記内筒係止部２２と外筒係止部２３との間に設けられている弾性体２４の弾性力により、上記外筒１１の後端部側へ付勢される。
このことにより、図１に示すように、上記内筒１２の先端部に設けられているチャック部１５は、上記チャック部１５の径方向外方に設けられているチャックリング２５と共に、後端部方向へ移動される。
上記チャックリング２５は、上記外筒１１の内方に設けられている外筒係止部２３に当接して移動が阻止される。
【００７４】
このことにより、図１に示すように、上記チャック部１５の径方向外方に設けられているチャックリング２５が、上記チャック先端部４６の外側に配置されるため、上記チャックリング２５の内側縁と、上記チャック先端部４６とが当接され、上記各チャック片１６ａ，１６ｂ，１６ｃ，１６ｄ間に形成されている上記スリット２１ａ，２１ｂ，２１ｃ，２１ｄが収縮され、上記各チャック片１６ａ，１６ｂ，１６ｃ，１６ｄの先端に設けられている把持部２０ａ，２０ｂ，２０ｃ，２０ｄが上記内筒１２の径方向内方へ移動される。
【００７５】
従って、図１、図３に示すように、上記各把持部２０ａ，２０ｂ，２０ｃ，２０ｄの径方向内方に向かって略直角に形成されている当接突部４７ａ，４７ｂ，４７ｃ，４７ｄが上記消しゴム１４に形成されている各溝部２６ａ，２６ｂ，２６ｃ，２６ｄに当接されて、上記消しゴム１４を固定することができる。
【００７６】
また、上記各チャック片１６ａ，１６ｂ，１６ｃ，１６ｄ間に形成されている上記スリット２１ａ，２１ｂ，２１ｃ，２１ｄが収縮され、上記各スリット２１ａ，２１ｂ，２１ｃ，２１ｄ内に配置されている上記消しゴム１４を構成する突条４１ａ，４１ｂ，４１ｃ，４１ｄが上記各チャック片１６ａと１６ｂ、１６ｂと１６ｃ、１６ｃと１６ｄ、１６ｄと１６ａとにより、把持されて固定することができる。
従って、上記消しゴム１４を上記各当接突部４７ａ，４７ｂ，４７ｃ，４７ｄと、上記各スリット２１ａ，２１ｂ，２１ｃ，２１ｄ内において把持して固定することができることから、上記消しゴム１４を長さ方向に対し確実に固定することができる。
【００７７】
図３に示すように、上記棒状物１４として、棒状消しゴムを使用した場合には、上記消しゴム１４を構成する突条４１ａ，４１ｂ，４１ｃ，４１ｄの各角部４０ａ，４０ｂ，４０ｃ，４０ｄ，４０ｅ，４０ｆ，４０ｇ，４０ｈにより紙等に記載されている文字や図面等の細部を消去することができる消しゴムとして使用することができる。
【００７８】
すなわち、上記消しゴムを構成する一の角部４０ａが使用による磨耗により丸くなった場合であっても、残り７つの角部４０ｂ，４０ｃ，４０ｄ，４０ｅ，４０ｆ，４０ｇ，４０ｈがあることから、長期間に亘って、細部を消去することができる消しゴムとしてしようすることができる。
【００７９】
また、上記消しゴムが使用により消失した場合であっても、上記内筒１２の後端部から、代替の消しゴムを挿入して使用することができることから、上記消しゴムを替えるだけで、長期にわたって使用することができる消しゴムとしてしようすることができる。
また、上記内筒１２の後端部に設けられたノック部４９を手指で押圧することにより、上記消しゴムを必要量だけ突出して使用することができるとともに、不使用時にあっては、上記消しゴムを上記棒状物繰り出し具１０内に収納して使用することができる。
【産業上の利用可能性】
【００８０】
本考案は、棒状物の繰り出し具に係り、特に横断面十字型の消しゴム等の棒状物を保持することができ、繰り出しの容易な棒状物繰り出し具に適用できるものである。
【図面の簡単な説明】
【００８１】
【図１】図１は、本考案に係る棒状物繰り出し具の実施例を示し、棒状物繰り出し具の長さ方向断面図を示す。
【図２】図２は、本考案に係る棒状物繰り出し具の実施例を示し、図１に示す状態において、棒状物を突出させた状態を示す長さ方向断面図である。
【図３】図３は、本考案に係る棒状物繰り出し具の実施例を示し、図１におけるＹ−Ｙ'断面を示す棒状物とチャック部を示す図である。
【図４】図４は、本考案に係る棒状物繰り出し具の実施例を示し、棒状物と、チャックリングと、弾性体と、内筒と、後端消しゴムと、後端キャップ部を示す平面図である。
【図５】図５は、本考案に係る棒状物繰り出し具の実施例を示し、内筒の長さ方向の断面図である。
【図６】図６は、本考案に係る棒状物繰り出し具の実施例を示し、先端キャップ部と、グリップ部と、外筒と、後端消しゴムとを示す平面図である。
【符号の説明】
【００８２】
１０    棒状物繰り出し具
１１    外筒
１２    内筒
１３    先端部（内筒）
１４    棒状物（消しゴム）
１５    チャック部
１６ａ  チャック片
１６ｂ  チャック片
１６ｃ  チャック片
１６ｄ  チャック片
１８    後端部
１９    付勢手段
２０ａ    把持部
２０ｂ    把持部
２０ｃ    把持部
２０ｄ    把持部
２１ａ    スリット
２１ｂ    スリット
２１ｃ    スリット
２１ｄ    スリット
２２    内筒係止部
２３    外筒係止部
２４    弾性体
２５    チャックリング
２６ａ    溝部
２６ｂ    溝部
２６ｃ    溝部
２６ｄ    溝部
２７    グリップ部
２８    先端キャップ部
２９    後端キャップ部
３０    クリップ部
３１    後端消しゴム
３２    消しゴム受け部
３３    先端案内部
３４    先端キャップ螺子部
３５    外筒先端螺子部
３６ａ    グリップ係止部
３６ｂ    グリップ係止部
３７ａ    係合孔部
３７ｂ    係合孔部
３８    外筒前部
３９    外筒後部
４０ａ    角部
４０ｂ    角部
４０ｃ    角部
４０ｄ    角部
４０ｅ    角部
４０ｆ    角部
４０ｇ    角部
４０ｈ    角部
４１ａ    突条
４１ｂ    突条
４１ｃ    突条
４１ｄ    突条
４２    クリップ係止突部
４４    内筒前部
４５    内筒後部
４６    チャック先端部
４７ａ  当接突部
４７ｂ  当接突部
４７ｃ  当接突部
４７ｄ  当接突部
４８    係合筒部
４９    ノック部
５０    係合切欠
Ｗ１    厚さ寸法（突条）
Ｗ２    幅寸法（スリット）
Ｗ３    径寸法（先端案内部間）
Ｗ４    径寸法（棒状体）
Ｗ５    外径寸法（内筒前部）
Ｗ６    外径寸法（内筒後部）
Ｗ７    内径寸法（外筒係止部）
Ｗ８    外径寸法（弾性体）
Ｗ９    内径寸法（弾性体）
Ｗ１０  外径寸法（チャック先端部）
Ｗ１１  外径寸法（チャック部）
Ｗ１２  外径寸法（チャックリング）
Ｗ１３  内径寸法（チャックリング）
Ｗ１４  内径寸法（消しゴム受け部）
Ｗ１５  外径寸法（後端消しゴム）
Ｗ１６  内径寸法（内筒）
Ｗ１７  内径寸法（係合筒部）
Ｗ１８  内径寸法（外筒）
Ｗ１９  外径寸法（係合筒部）
【図１】
0003118196.tif 000003
【図２】
0003118196.tif 000004
【図３】
0003118196.tif 000005
【図４】
0003118196.tif 000006
【図５】
0003118196.tif 000007
【図６】
0003118196.tif 000008